(57)【要約】【目的】  積極的な消毒等が行うことができるとともに座り心地のよい椅子を提供する。【構成】  座部１００の底面部１１０から下方に突出して設けられた収納部２００Ａと、この収納部２００Ａに着脱可能に収納されるカートリッジ３００とを備えており、前記カートリッジ３００は、消毒剤、脱臭剤、消臭剤、芳香剤又は殺菌剤の薬剤のうちいずれか１種又は複数種類が格納されており、前記薬剤が前記座部１００の内部に導入されるようになっている。【選択図】      図１
2005287623.tif 000002
【特許請求の範囲】
【請求項１】
座部の底面部から下方に突出して設けられた収納部と、この収納部に着脱可能に収納されるカートリッジとを具備しており、前記カートリッジは、消毒剤、脱臭剤、消臭剤、芳香剤、乾燥剤又は殺菌剤の薬剤のうちいずれか１種又は複数種類が格納されており、前記座部の内部に導入されることを特徴とする椅子。
【請求項２】
前記薬剤は、自然揮発により座部の内部に導入されることを特徴とする請求項１記載の椅子。
【請求項３】
前記カートリッジは、スプレーであって、前記薬剤を強制的に座部の内部に導入することを特徴とする請求項１記載の椅子。
【請求項４】
前記カートリッジは、格納される薬剤の種類に関わらず同じ形状及びサイズに設定されていることを特徴とする請求項１記載の椅子。
【請求項５】
前記収納部は、座部の底面部から垂下される下端が開放された周壁部と、この周壁部の下端を閉塞すべく周壁部に着脱可能に取り付けられる蓋体とを具備したことを特徴とする請求項１記載の椅子。
【請求項６】
前記収納部は、座部の底面部から垂下される下端が閉塞されかつ側面の一部が開放された周壁部と、この周壁部の開放された側面の一部を閉塞すべく周壁部に着脱可能に取り付けられる蓋体とを具備したことを特徴とする椅子。
【請求項７】
前記座部は、底面部と、この底面部に対し着脱可能になった上面部とを有しており、前記上面部を底面部から取り外した状態で、前記収納部にカートリッジを着脱することを特徴とする請求項１記載の椅子。
【請求項８】
座部の底面部から下方に向かって突出した取付部と、この取付部に着脱可能に取付られるカートリッジとを具備しており、前記カートリッジは、消毒剤、脱臭剤、消臭剤、芳香剤、乾燥剤又は殺菌剤の薬剤のうちいずれか１種又は複数種類が格納されており、前記座部の内部に導入されることを特徴とする椅子。
【発明の詳細な説明】
【技術分野】
【０００１】
本発明は、消毒剤、脱臭剤、消臭剤、芳香剤、乾燥剤又は殺菌剤の薬剤を組み込んだ椅子に関する。
【背景技術】
【０００２】
椅子は、特に体重の加わる座部が汗で湿ったり、体温で温められたりすることで、雑菌が発生し、場合によっては悪臭が生じたりすることがある。このため、乾燥剤等の薬剤を混入したり、挟み込んだりしたシートを椅子のシートカバーとして使用している。例えば、登録実用新案第３０８２７８３号公報（特許文献１）には、粉末状のヤシガラ活性炭を不織布でサンドイッチしたものを座椅子や車の座席に使用したものが記載されている。
また、特開２００２−１０１９６３号公報（特許文献２）には、木炭を内蔵した椅子が記載されている。
【０００３】
しかしながら、これらのものは、積極的に薬剤を用いて消毒等を行わないという問題点があった。
【０００４】
本願発明者は、かかる問題を解消するために特願２００３−３６８６７３（特許文献３）の「消毒、乾燥等の手段を備えた椅子等」を平成１５年１０月２９日に特許出願した。
【０００５】
この出願に係る椅子は、特許文献３の図１にも示すように、座部の内部に容器を収納するようになっている。
【０００６】
【特許文献１】登録実用新案第３０８２７８３号公報
【特許文献２】特開２００２−１０１９６３号公報
【特許文献３】特願２００３−３６８６７３
【発明の開示】
【発明が解決しようとする課題】
【０００７】
しかしながら、上述したような特許文献３に記載されたものは、積極的な消毒等を行うとこができるが、椅子の座部の内部に容器を収納しているため、座った場合に容器がお尻に当たり座り心地がよくないという問題点がある。
【０００８】
本発明は上記課題を解消するために創案されたものであって、積極的な消毒等が行うことができるとともに座り心地のよい椅子を提供することを目的としている。
【課題を解決するための手段】
【０００９】
本発明に係る椅子は、座部の底面部から下方に突出して設けられた収納部と、この収納部に着脱可能に収納されるカートリッジとを具備しており、前記カートリッジは、消毒剤、脱臭剤、消臭剤、芳香剤、乾燥剤又は殺菌剤の薬剤のうちいずれか１種又は複数種類が格納されており、前記座部の内部に導入されるようになっている。
【００１０】
前記薬剤は、自然揮発により座部の内部に導入されるか、スプレーになったカートリッジから前記薬剤を強制的に座部の内部に導入されるようになっている。
【００１１】
前記カートリッジは、格納される薬剤の種類に関わらず同じ形状及びサイズに設定されている。
【００１２】
前記収納部は、座部の底面部から垂下される下端が開放された周壁部と、この周壁部の下端を閉塞すべく周壁部に着脱可能に取り付けられる蓋体とを有している。
【００１３】
また、前記収納部は、座部の底面部から垂下される下端が閉塞されかつ側面の一部が開放された周壁部と、この周壁部の開放された側面の一部を閉塞すべく周壁部に着脱可能に取り付けられる蓋体とを備えていてもよい。
【００１４】
さらに、前記座部は、底面部と、この底面部に対し着脱可能になった上面部とを有しており、前記上面部を底面部から取り外した状態で、前記収納部にカートリッジを着脱するようになっていてもよい。
【００１５】
座部の底面部から下方に向かって突出した取付部と、この取付部に着脱可能に取付られるカートリッジとを具備しており、前記カートリッジは、消毒剤、脱臭剤、消臭剤、芳香剤、乾燥剤又は殺菌剤の薬剤のうちいずれか１種又は複数種類が格納されており、前記座部の内部に導入されるようになっている。
【発明の効果】
【００１６】
本発明に係る椅子は、薬剤が格納されたカートリッジが、座部の底面部から下方に突出して設けられた収納部に収納されるため、座部の内部にカートリッジが位置しないので、座った場合に容器がお尻に当たらず座り心地がよいという効果がある。
【００１７】
また、薬剤は、自然揮発により座部の内部に導入されるか、スプレーになったカートリッジから前記薬剤を強制的に座部の内部に導入されるようになっていると、積極的な消毒等を行うことができる。
【００１８】
さらに、前記カートリッジは、格納される薬剤の種類に関わらず同じ形状及びサイズに設定されていると、使用者が好み、必要に応じて薬剤の異なるカートリッジに簡単に交換できるというメリットがある。
【００１９】
前記収納部は、座部の底面部から垂下される下端が開放された周壁部と、この周壁部の下端を閉塞すべく周壁部に着脱可能に取り付けられる蓋体とを有している場合には、椅子の下側から簡単にカートリッジの交換ができる。
【００２０】
また、前記収納部は、座部の底面部から垂下される下端が閉塞されかつ側面の一部が開放された周壁部と、この周壁部の開放された側面の一部を閉塞すべく周壁部に着脱可能に取り付けられる蓋体とを備えていると、椅子の横側からより簡単にカートリッジの交換ができる。
【００２１】
さらに、前記座部は、底面部と、この底面部に対し着脱可能になった上面部とを有しており、前記上面部を底面部から取り外した状態で、前記収納部にカートリッジを着脱するようになっていていると、しゃがみ込まずにカートリッジの交換ができるようになる。
【００２２】
また、座部の底面部から下方に向かって突出した取付部と、この取付部に着脱可能に取付られるカートリッジとを備えており、前記カートリッジは、消毒剤、脱臭剤、消臭剤、芳香剤、乾燥剤又は殺菌剤の薬剤のうちいずれか１種又は複数種類が格納されており、前記座部の内部に導入されるようになっていると、蓋体が必要ないので、部品点数を削減することができるというメリットがある。
【発明を実施するための最良の形態】
【００２３】
図１は本発明の第１の実施の形態に係る椅子の概略的説明図、図２は本発明の第１の実施の形態に係る椅子の要部の概略的拡大断面図、図３は第１の実施の形態に係る椅子に用いられる蓋体の概略的底面図、図４は本発明の第１の実施の形態に係る椅子の要部の概略的拡大断面図、図５は本発明の第２の実施の形態に係る椅子の要部の概略的拡大断面図、図６は本発明の第３の実施の形態に係る椅子の要部の概略的拡大断面図、図７は本発明の第４の実施の形態に係る椅子の要部の概略的拡大断面図、図８は本発明の第５の実施の形態に係る椅子の要部の概略的拡大斜視図、図９は本発明の第６の実施の形態に係る椅子の要部の概略的拡大断面図、図１０は本発明の第７の実施の形態に係る椅子の要部の概略的拡大断面図、図１１は本発明の第８の実施の形態に係る椅子の概略的説明図である。
【００２４】
本発明の第１の実施の形態に係る椅子は、座部１００の底面部１１０から下方に突出して設けられた収納部２００Ａと、この収納部２００Ａに着脱可能に収納されるカートリッジ３００とを備えており、前記カートリッジ３００は、消毒剤、脱臭剤、消臭剤、芳香剤又は殺菌剤の薬剤のうちいずれか１種又は複数種類が格納されており、前記薬剤が前記座部１００の内部に導入されるようになっている。
【００２５】
まず、図１に示すように、この椅子は一般的なオフィス用椅子であって、使用者がお尻を載せる座部１００と、この座部１００を支えるべく、座部１００の底面部１１０の中央において連結された脚部３００と、略Ｌ字形状のアングル４００で脚部３００に連結された使用者の背中を支える背部５００とを有している。
【００２６】
前記座部１００や背部５００の内部には、例えば、コイルスプリングやウレタン等の弾性材が格納されている。
【００２７】
図１に示すように、前記座部１００の底面部１１０であって、脚部３００との連結箇所より手前側、すなわち使用者が座った場合に足側に近い位置に底面部１１０には、収納部２００Ａが下方に向かって突出されている。この収納部２００Ａは、四角柱形状に形成されており、図２に示すように、上端は開放して座部１００の内部に連通している。また、この収納部２００Ａの下端は、開放されている。かかる収納部２００Ａの周壁部２１０Ａの下端内側には係止部２２０Ａが形成されている。この係止部２２０Ａは、奥側、すなわち脚部３００よりの周壁部２１０Ａの下端内側に形成された第１の凹部２２１Ａと、この周壁部２１０Ａに対向する周壁部２１０Ａに形成された第２の凹部２２２Ａとを有している。前記第１の凹部２２１Ａは単なる断面視凹字形状の凹溝であるが、前記第２の凹部２２２Ａは第１の凹部２２１Ａより若干深くかつ断面視横向きの略山形状の凹溝である。
【００２８】
また、前記収納部２００Ａの周壁部２１０Ａの上端内側には、後述する蓋体２３０Ａが収納部２００Ａに取り付けられた場合、奥側、すなわち座部１００の内部まで進入しないようにするための押込防止突片２１１Ａが設けられている。この押込防止突片２１１Ａは、蓋体２３０Ａを収納部２００Ａに取り付けた状態で、蓋体２３０Ａの上端が当接するようになっている。この当接によって、蓋体２３０Ａの座部１００の内部への進入を防止するのである。
【００２９】
一方、前記蓋体２３０Ａは、図３に示すように、略中央部に円形の開口２３１Ａが開設された平面視略四角形状の基部２３２Ａと、この基部２３２Ａの４辺から上方に向かって演出される側壁２３３Ａとが一体に形成されている。この蓋体２３０Ａの側壁２３３Ａの内側には、例えば、ゴム等のある程度の柔軟性を有する素材からなる突出部２３４Ａが設けられている。この突出部２３４Ａは、後述するカートリッジ６００が内部でがたつかないようにするためのものである。また、この蓋体２３０Ａの１つの側壁２１０Ａの下方外側には、前記第１の凹部２２１Ａに嵌まり込むための突出リブ２３５Ａが突出形成されている。さらに、この突出リブ２３５Ａが形成された側面２３３Ａと対向する側面２３６Ａは、上端から下方に向かって折り返されたバネ片２３７Ａが一体に形成されている。このバネ片２３７Ａは、下端が前記基部２３２Ａと同一レベルまで下がっており、外側に向かって操作片２３８Ａが突出されている。さらに、この操作片２３８Ａの若干上方外側には、前記第２の凹部２２２Ａに嵌まり込む側面視略山形の係止凸部２３９Ａが突出形成されている。
【００３０】
前記蓋体２３０Ａに取り付けられるカートリッジ６００は、前記蓋体２３０Ａの側壁２３６Ａの内部に収納可能なように略直方体状に形成されている。かかるカートリッジ６００の内部には、消毒剤や芳香剤や消臭剤や殺菌剤等の液体状の薬剤が収納されている。このカートリッジ６００は、スプレー部６１０を有しており、そのスプレー部６１０を操作する操作部６１１は下面から突出し、薬剤を吹き出すノズル６１２は上面に開口している。
【００３１】
このように構成されたカートリッジ６００は、蓋体２３０Ａに収納されると、操作部６１１が前記開口２３１Ａから外側に突出するようになっている。また、操作部６１１を押圧操作しても、カートリッジ６００は前記突出部２３４Ａによって収納部２００Ａの内部で動かないようになっている。
【００３２】
次に、上述したように構成された第１の実施の形態に係る椅子の作用について説明する。
収納部２００Ａから取り外した状態の蓋体２３０Ａにカートリッジ６００を収納する。すると、蓋体２３０Ａの開口２３１Ａからはカートリッジ６００に設けられた操作部６１１が外側に向かって突出する。かかる蓋体２３０Ａの突出リブ２３５Ａを斜め下方向から収納部２００Ａの第１の凹部２２１Ａに当てがった状態で操作片２３８Ａを押込みながら蓋体２３０Ａ全体を上方に押し上げる。すると、操作片２３８Ａの押込みによってバネ片２３７Ａが変形し、係止凸部２３９Ａが第２の凹部２２２Ａに嵌まり込む。これによって、蓋体２３０Ａは収納部２００Ａを閉塞したことになる。
【００３３】
使用者が、下方に突出している操作部６１１を押圧操作することによって、スプレー部６１０のノズル６１２から液体状の薬剤が霧状になって、座部１００の内部に導入される。
【００３４】
カートリッジ６００内の薬剤がなくなった等の場合のカートリッジ６００の交換は、先程の蓋体２３０Ａの収納部２００Ａへの取り付けとは逆の操作を行う。すなわち、爪先で蓋体２３０Ａの操作片２３８Ａを内側へと押込みながら、係止凸部２３９Ａと第２の凹部２２２Ａとの嵌合を解除し、蓋体２３０Ａ全体を下側に押し下げるのである。これにより、蓋体２３０Ａは収納部２００Ａから取り外され、カートリッジ６００の交換を行うことができるようになる。
【００３５】
交換されるカートリッジ６００としては、スプレータイプのものの他に、図４（Ａ）に示すように、固体状の消臭剤、脱臭剤、消臭剤、芳香剤等の薬剤が格納されたものがある。この固体状の薬剤が格納されたカートリッジ６００の場合には、収納部２００Ａに取り付けられた蓋体２３０Ａがあればよいので、前記開口２３１Ａからは特になにも突出することはない。ただし、外部に前記薬剤が漏れださないようにカートリッジ６００の底部によって開口２３１Ａが密閉されることが必要である。
【００３６】
また、交換される他のカートリッジ６００としては、図４（Ｂ）に示すように、活性炭、木炭、竹炭、ヤシガラ炭、コーヒー殻、もみ殻や合成吸着剤を薬剤として用いた脱臭剤を格納したものも挙げられる。
【００３７】
なお、固体状の薬剤を格納したカートリッジ６００や活性炭や木炭等の脱臭剤を格納したカートリッジ６００は、上述したスプレータイプのカートリッジ６００と操作部６１１の有無以外の形状やサイズは同じに設定されている。従って、これらのカートリッジ６００は相互に交換可能となっている。
【００３８】
消毒剤等の薬剤は、スプレータイプのカートリッジ６００を使用しない場合には、自然揮発により座部１００の内部に導入されることになる。なお、この点は後述する実施の形態でも同様である。
【００３９】
次に、収納部２００Ｂと蓋体２３０Ｂとの構造が異なる本発明の第２の実施の形態に係る椅子について、図５を参照しつつ説明する。なお、上述した椅子と同等の部分の説明は省略する。
【００４０】
この椅子における収納部２００Ｂは、図５に示すように、対向する周壁部２１０Ｂの下端内側に同じ断面視横向きの略山形状の凹溝である凹部２２０Ｂが形成されている。また、これに対応して、蓋体２３０Ｂの対向する側壁２３６Ｂには、前記凹部２２０Ｂに嵌まり込む係止凸部２３９Ｂと操作片２３８Ｂとを有するバネ片２３７Ｂが設けられている。
【００４１】
このように構成された収納部２００Ｂ及び蓋体２３０Ｂを有する椅子では、次のようにして上述したスプレータイプのカートリッジ６００を収納する。
まず、収納部２００Ｂから取り外した状態の蓋体２３０Ｂにカートリッジ６００を収納する。すると、蓋体２３０Ｂの開口２３１Ｂからはカートリッジ６００に設けられた操作部６１１が外側に向かって突出する。かかる蓋体２３０Ｂを収納部２００Ｂの下方から収納部２００Ｂに向かって真っ直ぐ上側に押し込む。すると、２つのバネ片２３７Ｂが収納部２００Ｂの周壁部２１０Ｂに当接することによって、若干内側に向かって変形し、２つの係止凸部２３９Ｂが２つの凹部２２０Ｂに嵌まり込む。これによって、蓋体２３０Ｂは収納部２００Ｂを閉塞したことになる。
【００４２】
使用者が、下方に突出している操作部６１１を押圧操作することによって、スプレー部６１０のノズル６１２から液体状の薬剤が霧状になって、座部１００の内部に導入される。
【００４３】
カートリッジ６００内の薬剤がなくなった等の場合のカートリッジ６００の交換は、先程の蓋体２３０Ｂの収納部２００Ｂへの取り付けとは逆の操作を行う。すなわち、親指と人指し指の爪先で蓋体２３０Ｂの２つの操作片２３８Ｂを内側へと押込みながら、２つの係止凸部２３９Ｂと２つの凹部２２０Ｂとの嵌合を解除し、蓋体２３０Ｂ全体を下側に押し下げるのである。これにより、蓋体２３０Ｂは収納部２００Ｂから取り外され、カートリッジ６００の交換を行うことができるようになる。
【００４４】
なお、カートリッジ６００としてはスプレータイプのもののみならず、上述した固体状の薬剤や活性炭や木炭等の脱臭剤や乾燥剤を格納したものであってもよいことはいうまでもない。また、これらのカートリッジ６００は、スプレータイプのものの操作部６１１の有無が異なるだけで、それ以外の形状やサイズは同じに設定されている。従って、これらのカートリッジ６００は相互に交換可能となっている。
【００４５】
次に、収納部２００Ｃと蓋体２３０Ｃとの構造がさらに異なる本発明の第３の実施の形態に係る椅子について、図６を参照しつつ説明する。なお、上述した椅子と同等の部分の説明は省略する。
【００４６】
この本発明の第３の実施の形態に係る椅子における収納部２００Ｃは、図６に示すように、収納部２００Ｃが円筒形状に形成されており、座部１００の底面部１１０から下方に向かって突出されている。この収納部２００Ｃは、上端は開放して座部１００の内部に連通している。また、この収納部２００Ｃの下端は、開放されている。かかる収納部２００Ｃの周壁部２１０Ｃの上端内面には、雌ねじ２１１Ｃが設けられている。
【００４７】
一方、この収納部２００Ｃに着脱可能に取り付けられる蓋体２３０Ｃは、図６に示すように、略中央部に円形の開口２３１Ｃが開設された平面視円形状の基部２３２Ｃで底面が閉塞された有底円筒形状に形成されている。そして、この蓋体２３０Ｃの円筒形状の周面部２３６Ｃの上端外側には前記雌ねじ２１１Ｃに対応する雄ねじ２３９Ｃが形成されている。また、この蓋体２３０Ｃの周面部２３６Ｃの高さ寸法は、蓋体２３０Ｃが完全に収納部２００Ｃに取り付けられた状態でも、座部１００の内部には進入しない値に設定されている。さらに、この蓋体２３０Ｃの基部２３２Ｃの直径は、周面部２３０Ｃの直径及び収納部２００Ｃの外径より若干大きく設定されている。従って、蓋体２３０Ｃを収納部２００Ｃに取り付けた状態では、蓋体２３０Ｃの基部２３２Ｃの縁部が収納部２００Ｃより外側に位置しているので、蓋体２３０Ｃの着脱が容易になるというメリットがある。
【００４８】
また、この蓋体２３０Ｃの周面部２３６Ｃの内側には、ゴム等のある程度の柔軟性を有する素材からなる突出部２３４Ｃが設けられている。この突出部２３４Ｃは、後述するカートリッジ６００が内部でがたつかないようにするためのものである。
【００４９】
次に、上述したように構成された椅子の作用について説明する。
収納部２００Ｃから取り外した状態の蓋体２３０Ｃの周面部２３６Ｃの内側にスプレータイプのカートリッジ６００を収納する。すると、蓋体２３０Ｃの開口２３１Ｃからはカートリッジ６００に設けられた操作部６１１が外側に向かって突出する。かかる蓋体２３０Ｃの雄ねじ２３９Ｃを収納部２００Ｃの雌ねじ２１１Ｃに螺合させることで、蓋体２３０Ｃは収納部２００Ｃを閉塞したことになる。
【００５０】
使用者が、下方に突出している操作部６１１を押圧操作することによって、スプレー部６１０のノズル６１２から液体状の薬剤が霧状になって、座部１００の内部に導入される。
【００５１】
カートリッジ６００内の薬剤がなくなった等の場合のカートリッジ６００の交換は、先程の蓋体２３０Ｃの収納部２００Ｃへの取り付けとは逆の操作を行う。すなわち、蓋体２３０Ｃの基部２３２Ｃをもって蓋体２３０Ｃを回転させ、前記雌ねじ２１１Ｃと雄ねじ２３９Ｃとの螺合を解除するのである。これによって、蓋体２３０Ｃは収納部２００Ｃから取り外され、カートリッジ６００の交換を行うことができるようになる。
【００５２】
なお、カートリッジ６００としてはスプレータイプのもののみならず、上述した固体状の薬剤や活性炭や木炭等の脱臭剤や乾燥剤を格納したものであってもよいことはいうまでもない。また、これらのカートリッジ６００は、スプレータイプのものの操作部６１１の有無が異なるだけで、それ以外の形状やサイズは同じに設定されている。従って、これらのカートリッジ６００は相互に交換可能となっている。
【００５３】
次に、収納部２００Ｄと蓋体２３０Ｄとの構造がさらに異なる本発明の第４の実施の形態に係る椅子について、図７を参照しつつ説明する。なお、上述した椅子と同等の部分の説明は省略する。
【００５４】
この本発明の第４の実施の形態に係る椅子における収納部２００Ｄは、図７に示すように、収納部２００Ｄが筒形状に形成されており、座部１００の底面部１１０から下方に向かって突出されている。この収納部２００Ｄは、上端は開放して座部１００の内部に連通している。また、この収納部２００Ｄの下端は、開放されている。さらに、この収納部２００Ｄの下端には外側に向かったフランジ部２１１Ｄが形成されている。このフランジ部２１１Ｄには、複数個の雌ねじ２１２Ｄが開設されている。
【００５５】
一方、この収納部２００Ｄに着脱可能に取り付けられる蓋体２３０Ｄは、図７に示すように、略中央部に円形の開口２３１Ｄが開設された基部２３２Ｄで底面が閉塞された有底筒形状に形成されている。この蓋体２３０Ｄの基部２３２Ｄの大きさは、前記フランジ部２１１Ｄの大きさとほぼ等しく設定されている。そして、この基部２３２Ｄの周縁部には前記フランジ部２１１Ｄの雌ねじ２１２Ｄに対応した複数個のねじ孔２３３Ｄが開設されている。また、この蓋体２３０Ｄの高さ寸法は、蓋体２３０Ｄが完全に収納部２００Ｄに取り付けられた状態でも、座部１００の内部には進入しない値に設定されている。
【００５６】
また、この蓋体２３０Ｄの周面部２３６Ｄの内側には、ゴム等のある程度の柔軟性を有する素材からなる突出部２３４Ｄが設けられている。この突出部２３４Ｄは、後述するカートリッジ６００が内部でがたつかないようにするためのものである。
【００５７】
次に、上述したように構成された本発明の第４の実施の形態に係る椅子の作用について説明する。
収納部２００Ｄから取り外した状態の蓋体２３０Ｄの周面部２３６Ｄの内側にスプレータイプのカートリッジ６００を収納する。すると、蓋体２３０Ｄの開口２３１Ｄからはカートリッジ６００に設けられた操作部６１１が外側に向かって突出する。かかる蓋体２３０Ｄを下方から収納部２００Ｄに収納するとともに、蓋体２３０Ｄのねじ孔２３３Ｄと、収納部２００Ｄのフランジ部２１１Ｄの雌ねじ２１２Ｄとを一致させ、前記ねじ孔２３３Ｄを介して雄ねじ２５０Ｄを雌ねじ２１２Ｄに螺合させる。これによって、蓋体２３０Ｄは収納部２００Ｄを閉塞したことになる。
【００５８】
使用者が、下方に突出している操作部６１１を押圧操作することによって、スプレー部６１０のノズル６１２から液体状の薬剤が霧状になって、座部１００の内部に導入される。
【００５９】
カートリッジ６００内の薬剤がなくなった等の場合のカートリッジ６００の交換は、先程の蓋体２３０Ｄの収納部２００Ｄへの取り付けとは逆の操作を行う。すなわち、前記雄ねじ２５０Ｄを取り外すとともに、蓋体２３０Ｄは収納部２００Ｄから取り外すと、カートリッジ６００の交換を行うことができるようになる。
【００６０】
なお、カートリッジ６００としてはスプレータイプのもののみならず、上述した固体状の薬剤や活性炭や木炭等の脱臭剤や乾燥剤を格納したものであってもよいことはいうまでもない。また、これらのカートリッジ６００は、スプレータイプのものの操作部６１１の有無が異なるだけで、それ以外の形状やサイズは同じに設定されている。従って、これらのカートリッジ６００は相互に交換可能となっている。
【００６１】
次に、収納部２００Ｅと蓋体２３０Ｅとの構造がさらに異なる本発明の第５の実施の形態に係る椅子について、図８を参照しつつ説明する。なお、上述した椅子と同等の部分の説明は省略する。
【００６２】
この本発明の第５の実施の形態に係る椅子における収納部２００Ｅは、図８に示すように、収納部２００Ｅが円筒形状に形成されており、座部１００の底面部１１０から下方に向かって突出されている。この収納部２００Ｅは、上端は開放して座部１００の内部に連通している。また、この収納部２００Ｅの下端は、開放されている。さらに、この収納部２００Ｅの下端には内側に向かったフランジ部２１１Ｅが形成されている。このフランジ部２１１Ｅには、複数個の切欠部２１２Ｅが設けられている。
【００６３】
一方、この収納部２００Ｅに着脱可能に取り付けられる蓋体２３０Ｅは、図８に示すように、略中央部に円形の開口（図示省略）が開設された基部２３２Ｅで底面が閉塞された有底円筒形状に形成されている。この蓋体２３０Ｅの基部２３２Ｅの大きさは、前記フランジ部２１１Ｅの大きさとほぼ等しく設定されている。そして、この基部２３２Ｅから前記フランジ部２１１Ｅの厚さ寸法に相当するだけ上側には、前記フランジ部２１１Ｅの切欠部２１２Ｅに対応した複数個の取付リブ２３３Ｅが設けられている。また、この蓋体２３０Ｅの高さ寸法は、蓋体２３０Ｅが完全に収納部２００Ｅに取り付けられた状態でも、座部１００の内部には進入しない値に設定されている。
【００６４】
また、この蓋体２３０Ｅの周面部２３６Ｅの内側には、ゴム等のある程度の柔軟性を有する素材からなる突出部（図示省略）が設けられている。この突出部は、後述するカートリッジ６００が内部でがたつかないようにするためのものである。
【００６５】
次に、上述したように構成された本発明の第５の実施の形態に係る椅子の作用について説明する。
収納部２００Ｅから取り外した状態の蓋体２０３Ｅの周面部２３６Ｅの内側にスプレータイプのカートリッジ６００を収納する。すると、蓋体２３０Ｅの開口からはカートリッジ６００に設けられた操作部６１１が外側に向かって突出する。かかる蓋体２３０Ｅを下方から収納部２００Ｅに収納するとともに、収納部２００Ｅの切欠部２１２Ｅに蓋体２３０Ｅの取付リブ２３３Ｅに合わせ、蓋体２３０Ｅを回転させる。すると、蓋体２３０Ｅの基部２３２Ｅと取付リブ２３３Ｅとの間にフランジ部２１１Ｅが入り込む。これによって、蓋体２３０Ｅは収納部２００Ｅを閉塞したことになる。
【００６６】
使用者が、下方に突出している操作部６１１を押圧操作することによって、スプレー部６１０のノズル６１２から液体状の薬剤が霧状になって、座部１００の内部に導入される。
【００６７】
カートリッジ６００内の薬剤がなくなった等の場合のカートリッジ６００の交換は、先程の蓋体２３０Ｅの収納部２００Ｅへの取り付けとは逆の操作を行う。すなわち、前記蓋体２３０Ｅを回転させて収納部２００Ｅから取り外すと、カートリッジ６００の交換を行うことができるようになる。
【００６８】
なお、カートリッジ６００としてはスプレータイプのもののみならず、上述した固体状の薬剤や活性炭や木炭等の脱臭剤や乾燥剤を格納したものであってもよいことはいうまでもない。また、これらのカートリッジ６００は、スプレータイプのものの操作部６１１の有無が異なるだけで、それ以外の形状やサイズは同じに設定されている。従って、これらのカートリッジ６００は相互に交換可能となっている。
【００６９】
次に、収納部２００Ｆと蓋体２３０Ｆとの構造がさらに異なる本発明の第６の実施の形態に係る椅子について、図９を参照しつつ説明する。なお、上述した椅子と同等の部分の説明は省略する。
【００７０】
上述した第１〜第５の実施の形態に係る椅子では、収納部２００Ｆの下側から蓋体２３０Ｆを取り外してカートリッジ６００を交換するようになっていたが、この第６の実施の形態に係る椅子では、カートリッジ６００は収納部２００Ｆの横側から交換するようになっている。
【００７１】
この第６の実施の形態に係る椅子は、座部１００の底面部１１０の下方から突出して設けられた収納部２００Ｆと、この収納部２００Ｆに着脱可能に収納されるカートリッジ６００とを備えており、前記カートリッジ６００は、消毒剤、脱臭剤、消臭剤、芳香剤、乾燥剤又は殺菌剤の薬剤のうちいずれか１種又は複数種類が格納されており、前記薬剤が前記座部１００の内部に導入されるようになっており、前記収納部２００Ｆは、座部１００の底面部１１０から垂下される下端が閉塞されかつ側面２２０Ｆの一部が開放された周壁部２１０Ｆと、この周壁部２１０Ｆの開放された側面２２０Ｆの一部を閉塞すべく周壁部２１０Ｆに着脱可能に取り付けられている。
【００７２】
図９に示すように、前記座部１００の底面部１１０であって、脚部３００との連結箇所より手前側、すなわち使用者が座った場合に足側に近い位置に底面部１１０には、収納部２００Ｆが下方に向かって突出されている。この収納部２００Ｆは、四角柱形状に形成されており、周壁部２１０Ｆの１つの側面２２０Ｆが開放されている。また、この収納部２００Ｆの上端は開放して座部１００の内部に連通している。さらに、この収納部２００Ｆの底面である基部２３２Ｆには開放されている側面２２０Ｆから略中央部に向かった略Ｕ字形状の溝部２３４Ｆが形成されている。
【００７３】
一方、蓋体２３０Ｆは、ヒンジ２５０Ｆによって収納部２００Ｆの開放された側面２２０Ｆに取り付けられている。この蓋体２３０Ｆが閉じると、収納部２００Ｆの内部が閉塞されるのである。なお、この蓋体２３０Ｆは、前記溝部２３４Ｆを閉じないように上開きになっている。
【００７４】
また、この収納部２００Ｆの周壁部２１０Ｆの内側には、ゴム等のある程度の柔軟性を有する素材からなる突出部２３５Ｆが設けられている。この突出部２３５Ｆは、後述するカートリッジ６００が内部でがたつかないようにするためのものである。
【００７５】
次に、上述したように構成された本発明の第６の実施の形態に係る椅子の作用について説明する。
蓋体２３０Ｆを開いた状態にして収納部２００Ｆの内部ににスプレータイプのカートリッジ６００を収納する。この際、カートリッジ６００の操作部６１１が溝部２３４Ｆに入るようにする。カートリッジ６００を収納した状態で蓋体２３０Ｆを閉じると、収納部２００Ｆの内部は閉塞されたことになる。
【００７６】
使用者が、下方に突出している操作部６１１を押圧操作することによって、スプレー部６１０のノズル６１２から液体状の薬剤が霧状になって、座部１００の内部に導入される。
【００７７】
カートリッジ６００内の薬剤がなくなった等の場合のカートリッジ６００の交換は、蓋体２３０Ｆを開けて行う。
【００７８】
なお、カートリッジ６００としてはスプレータイプのもののみならず、上述した固体状の薬剤や活性炭や木炭等の脱臭剤や乾燥剤を格納したものであってもよいことはいうまでもない。また、これらのカートリッジ６００は、スプレータイプのものの操作部６１１の有無が異なるだけで、それ以外の形状やサイズは同じに設定されている。従って、これらのカートリッジ６００は相互に交換可能となっている。
【００７９】
次に、収納部２００Ｇの構造がさらに異なる本発明の第７の実施の形態に係る椅子について、図１０を参照しつつ説明する。なお、上述した椅子と同等の部分の説明は省略する。
【００８０】
上述した第１〜第６の実施の形態に係る椅子では、収納部２００Ａ〜２００Ｅの下側から蓋体２３０Ａ〜２３０Ｅを取り外してカートリッジ６００を交換するか、側面の蓋体２３０Ｆを開けてカートリッジ６００を交換するかの違いはあったが、収納部２００Ａ〜２００Ｆには蓋体２３０Ａ〜２３０Ｆが存在し、この蓋体２３０Ａ〜２３０Ｆによって収納部２００Ａ〜２００Ｆの内部が閉塞されるようになっている点では共通している。
【００８１】
しかし、この第７の実施の形態に係る椅子では、図１０に示すように、蓋体が存在していない。
すなわち、この椅子は、座部１００の底面部１１０から下方に向かって突出した取付部２００Ｇと、この取付部２００Ｇに着脱可能に取付られるカートリッジ６００とを備えており、前記カートリッジ６００は、消毒剤、脱臭剤、消臭剤、芳香剤、乾燥剤又は殺菌剤の薬剤のうちいずれか１種又は複数種類が格納されており、前記薬剤が前記座部１００の内部に導入されるようになっている。
【００８２】
この第７の実施の形態に係る椅子における収納部２００Ｇは、図１０に示すように、筒体状であって、上端が開放して座部１００の内部に連通している。また、この収納部２００Ｇの下端は開放されている。また、この収納部２００Ｇの周壁部２１０Ｇの内面には、ゴム等の柔軟性を有する素材からなる円筒形状のストッパ２５０Ｇが取り付けられている。このストッパ２５０Ｇは、周壁部２１０Ｇのほぼ全面に取り付けられている。しかも、このストッパ２５０Ｇの内側の寸法は、カートリッジ６００の寸法より若干小さく設定されている。従って、カートリッジ６００は、収納部２００Ｇの内部に圧入されることによって、収納部２００Ｇに着脱可能に取り付けられることになる。
【００８３】
カートリッジ６００の交換は、収納部２００Ｇの下方から引き抜くことによって行う。また、カートリッジ６００は、スプレータイプのもののみならず、上述した固体状の薬剤や活性炭や木炭等の脱臭剤や乾燥剤を格納したものであってもよいことはいうまでもない。また、これらのカートリッジ６００は、スプレータイプのものの操作部６１１の有無が異なるだけで、それ以外の形状やサイズは同じに設定されている。従って、これらのカートリッジ６００は相互に交換可能となっている。
【００８４】
次に、上述した第１〜第７の実施の形態に係る椅子とは要部の構成が基本的に異なる第８の実施の形態に係る椅子について、図１１を参照しつつ説明する。なお、上述した椅子と同等の部分の説明は省略する。
【００８５】
この第８の実施の形態に係る椅子における座部１００は、底面部１１０と、この底面部１１０に対し着脱可能になった上面部１５０とを有しており、前記上面部１５０を底面部１１０から取り外した状態で、前記収納部２００Ｈにカートリッジ６００を着脱するようになっている。
【００８６】
図１１に示すように、この椅子における座部１００を構成する底面部１１０と上面部１５０とは背中側のヒンジ１６０で連結されており、上面部１５０が開くようになっている。前記底面部１５０には下方に突出して有底筒状の収納部２００Ｈが設けられている。この収納部２００Ｈの底面の略中央部には円形の開口２３１Ｈが開設されている。また、前記収納部２００Ｈの上端は座部１００の内部に対して開放されている。さらに、この収納部２００Ｈの上端側内面には、ゴム等のある程度の柔軟性を有する素材からなる突出部２３４Ｈが設けられている。この突出部２３４Ｈは、後述するカートリッジ６００が内部でがたつかないようにするためのものである。なお、図示しないが、上面部１５０が閉じた状態で不用意に開かないようにする公知のロック機構が上面部１５０と底面部１１０との間に設けられている。
【００８７】
かかる椅子では、上面部１５０を開けて、カートリッジ６００の交換を行う。
なお、前記開口２３４Ｈは、スプレータイプのカートリッジ６００の操作部６１１を外部に導出するためのものである。また、他の薬剤を格納したカートリッジも相互に交換可能になっていることはもちろんである。
【図面の簡単な説明】
【００８８】
【図１】本発明の第１の実施の形態に係る椅子の概略的説明図である。
【図２】本発明の第１の実施の形態に係る椅子の要部の概略的拡大断面図である。
【図３】第１の実施の形態に係る椅子に用いられる蓋体の概略的底面図である。
【図４】本発明の第１の実施の形態に係る椅子の要部の概略的拡大断面図である。
【図５】本発明の第２の実施の形態に係る椅子の要部の概略的拡大断面図である。
【図６】本発明の第３の実施の形態に係る椅子の要部の概略的拡大断面図である。
【図７】本発明の第４の実施の形態に係る椅子の要部の概略的拡大断面図である。
【図８】本発明の第５の実施の形態に係る椅子の要部の概略的拡大斜視図である。
【図９】本発明の第６の実施の形態に係る椅子の要部の概略的拡大断面図である。
【図１０】本発明の第７の実施の形態に係る椅子の要部の概略的拡大断面図である。
【図１１】本発明の第８の実施の形態に係る椅子の概略的説明図である。
【符号の説明】
【００８９】
１００    座部
１１０    底面部
２００Ａ  収納部
２３０Ａ  蓋体
６００    カートリッジ
【図１】
2005287623.tif 000003
【図２】
2005287623.tif 000004
【図３】
2005287623.tif 000005
【図４】
2005287623.tif 000006
【図５】
2005287623.tif 000007
【図６】
2005287623.tif 000008
【図７】
2005287623.tif 000009
【図８】
2005287623.tif 000010
【図９】
2005287623.tif 000011
【図１０】
2005287623.tif 000012
【図１１】
2005287623.tif 000013